(57)【要約】【課題】回動部材を軸支する支軸が付勢部材の付勢力によって容易に変形することがなく、且つ、粉砕してペレットにするためにチャージレバーの如き回動部材や該回動部材を付勢するチャージばねの如き付勢部材を容易に取り除くことが可能である構成にしたカメラ。【解決手段】支軸に嵌合して回動する回動部材と、ファインダ光学系を支持する筐体と、を備え、前記筐体の一部で前記支軸の先端部を支持したこと。【選択図】        図１
2004233935.tif 000002
【特許請求の範囲】
【請求項１】
支軸に嵌合して回動する回動部材と、
ファインダ光学系を支持する筐体と、を備え、
前記筐体の一部で前記支軸の先端部を支持したことを特徴とするカメラ。
【請求項２】
前記筐体の一部に前記筐体より突出した突出部を設け、該突出部を前記支軸の先端に設けた穴に挿入したことを特徴とする請求項１に記載のカメラ。
【請求項３】
前記回動部材がシャッタチャージ部材であることを特徴とする請求項１又は請求項２に記載のカメラ。
【請求項４】
前記回動部材に対する前記支軸の根本側の部所に、前記回動部材を付勢する金属製の付勢部材を設けたことを特徴とする請求項１〜３の何れか１項に記載のカメラ。
【請求項５】
前記カメラがレンズ付きフィルムユニットであることを特徴とする請求項１〜４の何れか１項に記載のカメラ。
【発明の詳細な説明】
【０００１】
【発明の属する技術分野】
本発明は、支軸に嵌合して回動する回動部材を保持する手段を有するカメラに関し、詳しくはシャッタチャージ部材を保持する手段を有するカメラに関する。
【０００２】
【従来の技術】
カメラのシャッタチャージ機構及びシャッタレリーズ機構には、従来より下記の如き機構が用いられている。即ち、フィルム巻き上げと連動してチャージレバーを回動させて係止すると共に、チャージレバーをばねにより付勢する。その後、レリーズボタンの押下操作によりチャージレバーの係止を解除し、ばねによって付勢されたチャージレバーを急速に復帰回動させ、チャージレバーの一部でシャッタ羽根を蹴飛ばして開放動作させる。開放動作したシャッタ羽根は、シャッタ羽根若しくはシャッタ羽根と連動した部材に掛けられた別のばねによって閉鎖動作して初期状態に戻る。
【０００３】
このようなチャージレバー等の一例として、特許文献１に開示されたものがある。
【０００４】
この特許文献１に開示されたチャージレバー等を図８に基づいて説明する。
１は各種の撮影機構を搭載し、樹脂成型された本体であるが、中央部分のみを描いてある。カメラ本体１の上部には支軸１ａが一体に立設していて、支軸１ａにチャージレバー２１とストップレバー２２が嵌合し、支軸１ａの先端部に圧入ピン６１が圧入されている。従って、チャージレバー２１とストップレバー２２は軸方向に抜けることなく回動自在に保持されている。
【０００５】
なお、チャージレバー２１とストップレバー２２は図示していないシャッタチャージ機構の一部品であるが、その作動を簡単に説明する。フィルム巻上げによってスプロケットが１回転すると、スプロケットと同軸に配置されたカム部材も１回転する。すると、カム部材のカムによってチャージレバー２１の後部に設けた腕部２１ａの先端が押圧されて、チャージレバー２１は図８の上方からみて時計方向に回動し、チャージばね２４を付勢してチャージ状態になる。ストップレバー２２はチャージレバー２１と一体的に回動し、後部の爪部２２ｂがカム部材のカムに設けた切り欠きに飛び込むとカム部材の回転は停止し、フィルム巻上げも停止する。このとき、チャージレバー２１にはフックが掛かっていてチャージ状態を維持しているが、レリーズ操作によってフックが外れるとチャージレバー２１はチャージばね２４の付勢力によって図８の上方から見て反時計方向に回動し、チャージレバー２１の前部に設けた腕部２１ｂが右方向に急速に移動する。これにより、腕部２１ｂが不図示のセクターを開放させる。
【０００６】
また、レンズ付きフィルムユニットに関しては、省資源のためにフィルムを除いてラボから回収して、異常のない部材については新たな製品に再利用し、傷等が生じた樹脂部材については粉砕してペレットとし、成型用の材料にしている。
【０００７】
【特許文献１】
特開２００１−２９０２４５号公報（第２頁、図１）
【０００８】
【発明が解決しようとする課題】
特許文献１における圧入ピン６１は金属で形成されているのが一般的であり、上述の如く圧入ピン６１が支軸１ａの先端に設けた穴１ｂに圧入される。なお、圧入ピン６１を小ねじに代えてねじ止めすることも可能であるが、圧入の方がねじ止めより作業時間が短く能率的である。
【０００９】
しかしながら、上記の如き構成のチャージレバー２１等に関しては下記の如き問題がある。
【００１０】
先ず、チャージばね２４はかなり強いばねであるので、樹脂製のカメラ本体１より立設した支軸１ａにチャージばね２４を掛けていると、支軸１ａが変形することがあり、その結果、シャッタチャージ機構が作動不良になる恐れがある。
【００１１】
また、上記の如き構成のチャージレバー２１等をレンズ付きフィルムユニットに組み込んで回収し再利用しようとした場合、カメラ本体１及びチャージレバー２１等に関して異常がないときは、そのまま再利用できるが、カメラ本体１若しくはチャージレバー２１等に異常が生じているときは、カメラ本体１よりチャージレバー２１等を取り外さなくてはならない。即ち、粉砕して再成型のためのペレットとするには、同種の材料から構成されていなくてはならないが、この場合は異種材料である金属製の圧入ピン６１やチャージばね２４が含まれているので、これらの異種材料を分離する必要がある。そこで、圧入した圧入ピン６１を抜き取り、チャージばね２４を取り除くことになるが、圧入ピン６１の抜き取り作業は容易でなく非常に工数がかかる。
【００１２】
本発明はかかる問題に鑑みてなされたものであり、回動部材を軸支する支軸が付勢部材の付勢力によって容易に変形することがなく、且つ、粉砕してペレットにするためにチャージレバーの如き回動部材や該回動部材を付勢するチャージばねの如き付勢部材を容易に取り除くことが可能である構成にしたカメラを提案することを発明の目的とする。
【００１３】
【課題を解決するための手段】
上記目的は下記の手段により達成される。
【００１４】
支軸に嵌合して回動する回動部材と、ファインダ光学系を支持する筐体と、を備え、前記筐体の一部で前記支軸の先端部を支持したことを特徴とするカメラ。
【００１５】
【発明の実施の形態】
本発明のカメラにおけるシャッタチャージ及びシャッタレリーズ等の機構について、図１乃至図７を参照して詳細に説明する。
【００１６】
図１はチャージレバー等の斜視図、図２はシャッタレリーズの直後の巻上げ前の上面図、図３は巻上げ動作開始時の上面図、図４は巻上げ動作終了直前の上面図、図５は巻上げ動作終了の上面図、図６はセクタ等の正面図、図７はファインダユニットの斜視図である。
【００１７】
なお、本カメラはレンズ付きフィルムユニットであってもよいし、フィルムを装填する銀塩カメラであってもよい。
【００１８】
各図において、チャージカム１４と停止カム１５が同軸にて一体的に組み立てられ、更に軸の先端にはＶ字状の溝１６が設けられ、不図示の指数器の指数板と歯合している。
【００１９】
また、チャージカム１４等の右方には、チャージレバー２１（回動部材、シャッタチャージ部材）と、停止レバー２２とが同軸にて、且つチャージレバー２１が停止レバー２２の下に位置して、カメラ本体１より立設した支軸１ａに回動自在に軸支されている。チャージレバー２１の下方には金属製のチャージばね２４（付勢部材）が掛けられ、チャージレバー２１を反時計方向に付勢している。なお、図２乃至図５においてはチャージばね２４を模式的に引っ張りバネにして描いているが、図１に示す如き捻りコイルばねが望ましい。
【００２０】
また、捻りコイルばね２５が停止レバー２２とチャージレバー２１に立設したピン２９との間に掛けられ、停止レバー２２をチャージレバー２１に対して時計方向に付勢している。
【００２１】
更に、チャージレバー２１の右方には、レリーズレバー２６が支軸２７を中心にカメラ本体１に回動自在に軸支されており、レリーズレバー２６は捻りコイルばね２８により時計方向に付勢されている。
【００２２】
次に、巻上げ開始から巻上げ終了迄の作動を説明する。
図２はシャッタレリーズの直後の状態で、フィルム巻き上げ操作により不図示のフィルムが給送され、不図示のスプロケットが上から見て反時計方向に駆動される。すると、スプロケットと同軸に配置されたチャージカム１４と停止カム１５も反時計方向に回転し、図３に示す如くチャージカム１４によりチャージレバー２１の第１の腕部２１ａの先端を押圧し、チャージばね２４に抗してチャージレバー２１を時計方向に回動させる。すると、図４の如くチャージレバー２１の第２の腕部２１ｂが、図に垂直な面を回動するセクタ３１の端部３１ｂを乗り越える。このようにして、チャージレバー２１のシャッタチャージが行われる。
【００２３】
ここでシャッタ羽根であるセクタの作動について、図６に基づき説明する。図６はセクタをレンズ付きフィルムユニットの前面側から見た正面図である。
【００２４】
セクタ３１は軸３２を中心に回動するが、図６は光路３３を閉鎖した状態の図であり、セクタ３１は引っ張りばね３４により反時計方向に付勢されているが、端末３１ａがストッパー３５により当接し、図より反時計方向には回動しない。シャッタチャージのときは、チャージレバー２１の第２の腕部２１ｂがセクタ３１の端部３１ｂを図の右側から乗り越えるが、このとき軸３２と嵌合するセクタ３１の孔３１ｃは長孔に穿設されているので、第２の腕部２１ｂにより端部３１ｂが押され、セクタ３１は僅かに下がるが、光路３３を開放することはない。その後、第２の腕部２１ｂが左に移動して２点鎖線で示す位置にチャージされ、シャッタレリーズにより急速に右に移動するときは、セクタ３１の端部３１ｂの左側面を叩き、セクタ３１は軸３２を中心に急速に時計方向に回転し、光路３３が開放される。第２の腕部２１ｂが端部３１ｂを乗り越えると、セクタ３１は引っ張りばね３４の付勢力で図の状態に復元して、光路３３が閉鎖される。このようにして、セクタ３１が開閉する。
【００２５】
図２，３の如く、チャージレバー２１によるシャッタチャージ前は、チャージレバー２１の第３の腕部の先端部２１ｃにレリーズレバー２６の第１の腕部２６ａが係合して、レリーズレバー２６の時計方向の回転が防止されている。ところが、チャージレバー２１が時計方向に回転してシャッタチャージが行われると、図４に示すように第３の腕部の先端２１ｃとレリーズレバー２６の第１の腕部２６ａとの係合が外れて、レリーズレバー２６は捻りコイルばね２８の付勢力により僅かに時計方向に駆動される。しかし、レリーズレバー２６の第１の腕部２６ａはチャージレバー２１の第３の腕部の先端２１ｃと係合するだけでなく、停止レバー２２の段部２２ａとも係合可能な厚みを有しているので、チャージレバー２１の第３の腕部の先端２１ｃが退避した後、レリーズレバー２６の第１の腕部２６ａは停止レバー２２の段部２２ａと係合する。なお、このときレリーズレバー２６の第１の腕部２６ａの先端はチャージレバー２１の先端部２１ｃの右側部に回り込んでいる。
【００２６】
続いて、チャージカム１４と停止カム１５が更に回転し、図５に示す如く、チャージカム１４と停止カム１５が３６０度近く駆動されると、停止レバー２２の第１の腕部２２ｂの先端が、捻りコイルばね２５の付勢力により、停止カム１５の切り欠き１５ａに飛び込み、停止レバー２２は時計方向に回動する。この結果、停止カム１５の回転が停止するので、スプロケットの回転も停止する。
【００２７】
また、停止レバー２２の回動によって同時に段部２２ａも時計方向に回動するので、段部２２ａに対するレリーズレバー２６の第１の腕部２６ａの係合が外れ、レリーズレバー２６は時計方向に回動して、ストッパー２９に当接する。そして、レリーズレバー２６の第１の腕部２６ａはチャージレバー２１の側部２１ｄと当接することになる。
【００２８】
更に、以上の如く巻上げが終了したときは、チャージレバー２１の第１の腕部２１ａはチャージカム１４に当接していないが、レリーズレバー２６の第１の腕部２６ａの先端により、チャージばね２４によるチャージレバー２１の反時計方向の回動を防止しているので、チャージレバー２１はシャッタチャージを行った状態を保っている。
【００２９】
次に、図５の如くシャッタチャージが完了した状態で、シャッタレリーズする動作を説明する。
【００３０】
不図示のレリーズ釦を押下すると、レリーズ釦の裏面に設けられたレリーズ軸３ａが図５の上面から、レリーズレバー２６の傾斜部２６ｃを押圧する。傾斜部２６ｃは右方向に傾斜しているため、レリーズレバー２６を捻りコイルばね２８の付勢力に抗して反時計方向に回動させる。すると、レリーズレバー２６の第１の腕部２６ａがチャージレバー２１の右側部２１ｄから退避するため、チャージレバー２１はチャージばね２４の付勢力により急速に反時計方向に回動し、第２の腕部２１ｂがセクタ３１の端部３１ｂを急速に叩き、前述の如くセクタ３１を開閉させる。
【００３１】
そして、レリーズレバー２６の第１の腕部２６ａはチャージレバー２１の第３の腕部の先端２１ｃと再び係合し、図２の状態に復帰する。
【００３２】
一方、図７はファインダユニット５の図であり、ファインダユニット５は樹脂成型された筐体５１に対物レンズ５２及び接眼レンズ５３等からなるファインダ光学系を挿着し保持している。
【００３３】
また、筐体５１の下部には位置決め穴５１ｃを有する突部５１ｄが設けられ、カメラ本体１より立設した位置決めピン１ｄに対して位置決め穴５１ｃが嵌合するので、筐体５１はカメラ本体１に対して前後左右方向に位置決めされる。加えて、筐体５１の側壁には二つの位置決め片５１ｅが突設し、カメラ本体１より立設した位置決めピン１ｅに対して二つの位置決め片５１ｅの間の位置決め空間部５１ｆが嵌合するので、筐体５１は位置決め穴５１ｃを中心に回動することがなく位置決めされ、不図示の係着爪によりカメラ本体１に固定される。
【００３４】
更に、筐体５１の下部には、フランジ部５１ａを有する支軸５１ｂ（突出部）が突出していて、支軸５１ｂは図１に示す如くカメラ本体１より立設した支軸１ａの先端に設けた穴１ｂに嵌合する。従って、支軸１ａにチャージばね２４、チャージレバー２１及び停止レバー２２の順で装着した後に、ファインダユニット５をカメラ本体１に装着すれば、支軸５１ｂは支軸１ａの穴１ｂに嵌合し、且つ、フランジ部５１ａが支軸１ａの先端部１ｃに当接するので、チャージレバー２１等は軸方向に抜けることなく、上述の如く回動のみを行う。
【００３５】
ここで、支軸１ａの下端はカメラ本体１より立設し、上端はファインダユニット５の支軸５１ｂによって支持されている。即ち、支軸１ａは従来技術と異なって両端より支持されているので、チャージばね２４の付勢力が強くても支軸１ａが変形することがない。
【００３６】
なお、カメラ本体１の成型時に支軸１ａが若干変形しているようなことがあっても、支軸５１ｂを穴１ｂに嵌合させることによって支軸１ａの変形を是正することもできる。
【００３７】
また、ファインダユニット５に関しては、回収したカメラにおいて不図示の係着爪の係着を比較的容易に解除して、カメラ本体１から取り外すことができるので、チャージばね２４、チャージレバー２１及び停止レバー２２をカメラ本体１より容易に分離することができ、従来の如き圧入ピンで圧入した場合と比較すると、カメラ本体１を粉砕してペレット化するときの作業工数が格段に削減する。
【００３８】
なお、シャッタチャージ機構、ファインダユニット５を始め、各種の撮影機構が装着されたカメラ本体１は、最終的には不図示の前カバー及び後カバーによって被覆される。この際に、ファインダユニット５の上部に前カバー及び後カバー上部内壁が当接するので、ファインダユニット５は上方向に浮くことがなく、筐体５１のフランジ部５１ａがカメラ本体１の支軸１ａの先端部１ｃに当接した状態を維持することができる。
【００３９】
その他に、上述の構成とは逆の構成にして、筐体５１のフランジ部５１ａに穴を設けると共に、カメラ本体１の支軸１ａの穴１ｂを廃止して突出部を設け、フランジ部５１ａの穴に支軸１ａの突出部を嵌合させるようにしてもよい。
【００４０】
また、カメラ本体１の支軸１ａに軸支させるレバーは必ずしもチャージレバーでなくてもよく、他の作用を行う部材であってもよい。
【００４１】
【発明の効果】
本発明のカメラによれば、回動部材を軸支する支軸が付勢部材の付勢力によって容易に変形することがなく、且つ、粉砕してペレットにするためにチャージレバーの如き回動部材や該回動部材を付勢するチャージばねの如き付勢部材を容易に取り除くことが可能であるという効果を奏する。
【図面の簡単な説明】
【図１】チャージレバー等の斜視図である。
【図２】シャッタレリーズの直後の巻上げ前の上面図である。
【図３】巻上げ動作開始時の上面図である。
【図４】巻上げ動作終了直前の上面図である。
【図５】巻上げ動作終了の上面図である。
【図６】セクタ等の正面図である。
【図７】ファインダユニットの斜視図である。
【図８】従来のチャージレバー等の斜視図である。
【符号の説明】
１  カメラ本体
１ａ，５１ｂ  支軸
１ｂ  穴
１ｃ  先端部
５  ファインダユニット
５１  筐体
５１ａ  フランジ部
２１  チャージレバー
２２  停止レバー
２４  チャージばね
【図１】
2004233935.tif 000003
【図２】
2004233935.tif 000004
【図３】
2004233935.tif 000005
【図４】
2004233935.tif 000006
【図５】
2004233935.tif 000007
【図６】
2004233935.tif 000008
【図７】
2004233935.tif 000009
【図８】
2004233935.tif 000010